(57)【特許請求の範囲】
【請求項１】
脚体と、該脚体の上方で支持される第１天板と、第２天板と、を有し、前記第２天板を連結部を介して前記第１天板に連設できる家具において、
前記第１天板の縁辺部が前記脚体によって支持されており、該第１天板の縁辺部の下部における少なくとも一部を取り外すことによって、該縁辺部に前記連結部が配置される配置空間が形成されるようになっており、該配置空間に配置された前記連結部を介して前記第２天板が前記第１天板に連設されることを特徴とする家具。
【請求項２】
前記第１天板の縁辺部がほぼ全域に渡って前記脚体に支持されており、前記連結部を前記脚体における前記配置空間に対応した部位に連結するとともに、該連結部を前記第１天板及び前記脚体の間に挟まれる板状部材に形成したことを特徴とする請求項１に記載の家具。
【請求項３】
前記第１天板は、天板本体と該天板本体の下面に枠状に配置された複数のフレーム部材とにより構成されており、前記天板本体と前記脚体とが、前記フレーム部材によって離間されて配置され、前記複数のフレーム部材の少なくとも１つを取り外すことによって、前記第１天板における前記取り外されたフレーム部材の配置位置に前記配置空間が形成されることを特徴とする請求項１または２に記載の家具。
【請求項４】
前記複数のフレーム部材は、複数の長尺フレーム部材と該複数の長尺フレーム部材の間に配置される中間部材とにより構成されており、前記中間部材が前記天板本体に固定されるとともに、該中間部材には、前記長尺フレーム部材の端部が下方から脱着可能に嵌合される嵌合突部が設けられていることを特徴とする請求項３に記載の家具。
【発明の詳細な説明】
【技術分野】
【０００１】
本発明は、脚体と、該脚体の上方で支持される第１天板と、第２天板と、を有し、前記第２天板を連結部を介して前記第１天板に連設できる家具に関する。
【背景技術】
【０００２】
従来、デスク（家具）における主天板を支持する脚体の上部のステーに形成したスリット（配置空間）にブラケット（連結部）を取り付け、このブラケットに補助天板（第２天板）の端縁を螺着して、補助天板の荷重が主天板を支持する脚体に加わる状態で、補助天板を支持している天板連結装置がある（例えば、特許文献１参照）。
【０００３】
【特許文献１】特許３３４９４１９号公報（第４頁、第４図）
【発明の開示】
【発明が解決しようとする課題】
【０００４】
しかしながら、特許文献１に記載の天板連結装置にあっては、脚体の上部のステーに、補助天板（第２天板）の連結用のブラケット（連結部）を取り付けるために、スリット（配置空間）などを形成しておかなければならず、主天板に補助天板を連設しないで主天板を単独で使用する状態では、デスク（家具）を側方から見たときにスリットが露呈するため、スリットに塵や埃が溜まり易くなり、かつスリット内は清掃もし難いため見栄えも悪くなるという問題がある。
【０００５】
本発明は、このような問題点に着目してなされたもので、第２天板を連結部を用いて第１天板に連設できる家具において、第２天板を連設しない状態であっても、家具の側方に連結部の配置空間が露呈せずに見栄えよく使用できる家具を提供することを目的とする。
【課題を解決するための手段】
【０００６】
前記課題を解決するために、本発明の請求項１に記載の家具は、
脚体と、該脚体の上方で支持される第１天板と、第２天板と、を有し、前記第２天板を連結部を介して前記第１天板に連設できる家具において、
前記第１天板の縁辺部が前記脚体によって支持されており、該第１天板の縁辺部の下部における少なくとも一部を取り外すことによって、該縁辺部に前記連結部が配置される配置空間が形成されるようになっており、該配置空間に配置された前記連結部を介して前記第２天板が前記第１天板に連設されることを特徴としている。
この特徴によれば、第１天板の縁辺部の下部における少なくとも一部を取り外すことで連結部が配置される配置空間を形成し、この配置空間に配置された連結部を介して第２天板を第１天板に連設して使用できるようになり、かつ第２天板を連設しないで家具を使用する場合には、第１天板の縁辺部に配置空間が形成されないため、家具の側方に配置空間が露呈せずに見栄えよく家具を使用できる。また、第１天板の縁辺部の下部に配置空間が形成されるため、第１天板の上面には、配置空間を形成するための加工を施す必要がなくなり、平坦で見栄えのよい天板の上面を形成でき、かつ脚体にも、配置空間を形成するための加工を施す必要がなくなり、見栄えのよい脚体を形成できる。
【０００７】
本発明の請求項２に記載の家具は、請求項１に記載の家具であって、
前記第１天板の縁辺部がほぼ全域に渡って前記脚体に支持されており、前記連結部を前記脚体における前記配置空間に対応した部位に連結するとともに、該連結部を前記第１天板及び前記脚体の間に挟まれる板状部材に形成したことを特徴としている。
この特徴によれば、連結部を脚体に連結することで、第２天板の荷重が直に第１天板に加わらないようにできるばかりか、板状部材をなす連結部が第１天板と脚体との間に挟まれるため、連結部の支持強度が増し、長年の使用しても連結部が外れたり第１天板の縁部近傍にひび割れが生じたりすることを防止できる。
【０００８】
本発明の請求項３に記載の家具は、請求項１または２に記載の家具であって、
前記第１天板は、天板本体と該天板本体の下面に枠状に配置された複数のフレーム部材とにより構成されており、前記天板本体と前記脚体とが、前記フレーム部材によって離間されて配置され、前記複数のフレーム部材の少なくとも１つを取り外すことによって、前記第１天板における前記取り外されたフレーム部材の配置位置に前記配置空間が形成されることを特徴としている。
この特徴によれば、複数のフレーム部材により天板本体と脚体とが離間されているため、少なくとも１つのフレーム部材を取り外すことで、連結部が配置される配置空間を第１天板に容易に形成することができ、かつ枠状に配置された複数のフレーム部材によって天板本体を補強することができる。
【０００９】
本発明の請求項４に記載の家具は、請求項３に記載の家具であって、
前記複数のフレーム部材は、複数の長尺フレーム部材と該複数の長尺フレーム部材の間に配置される中間部材とにより構成されており、前記中間部材が前記天板本体に固定されるとともに、該中間部材には、前記長尺フレーム部材の端部が下方から脱着可能に嵌合される嵌合突部が設けられていることを特徴としている。
この特徴によれば、長尺フレーム部材を天板本体に取り付ける際には、中間部材によって長尺フレーム部材の位置決めを行うことができるばかりか、長尺フレーム部材を天板本体から取り外す際には、中間部材を天板本体に固着したまま取り外すことができ、配置空間の形成作業を容易に行うことができる。
【発明を実施するための最良の形態】
【００１０】
本発明に係る家具を実施するための最良の形態を実施例に基づいて以下に説明する。
【実施例１】
【００１１】
本発明の実施例を図面に基づいて説明すると、先ず図１は、本発明が適用された机の全体像を示す斜視図であり、図２は、机のフレーム部材を示す一部拡大斜視図であり、図３は、机の組み立て状態を示す組立斜視図であり、図４は、主天板の構成を示す斜視図であり、図５は、主天板に対するフレーム部材の取り付けを示す一部拡大斜視図であり、図６（ａ）は、長尺フレーム部材を示す平面図であり、図６（ｂ）は、長尺フレーム部材を示す側面図であり、図７（ａ）は、中間部材を示す平面図であり、図７（ｂ）は、中間部材を示す側面図であり、図８は、側脚板に対する取付板の取り付け状態を示す斜視図であり、図９は、取付板に対する補助天板の取り付け状態を示す斜視図であり、図１０は、机にサイドテーブルが連設された状態を示す斜視図である。以下、図１、図３、図８〜１０の紙面左上方側を机の左側とし、図１、図３、図８〜１０の紙面左下方側を机の正面側（前方側）として説明する。
【００１２】
図１の符号１は、主に会社等で役員が使用する木製の事務机である。この机１は、図１及び図３に示すように、２つの側脚板２，３が左右に離間されて配置されており、これら側脚板２，３の後部には、幕板４が渡設されている。また、右側の側脚板２には、上下に３段の引出し５ａを有するキャビネット部５が一体となって設けられている。更に、側脚板２，３及び幕板４の上面には、本実施例における天板本体としての主天板６が載置されている。尚、側脚板２は、本実施例における第１脚体（脚体）を構成している。
【００１３】
図３に示すように、側脚板２，３は、その内側面側の上端部に、本実施例における取付部材としての金属製のＬ字ブラケット７がネジ（図示略）によって螺着されているとともに、側脚板２，３は、その内側面を対向させた状態で立設されている。
【００１４】
これら側脚板２，３及び幕板４の上面は、面一となっており、側脚板２，３及び幕板４の上面には、主天板６が載置される。また、側脚板２，３の上面には、後述する連結板１５が螺着される螺着孔８が、側脚板２，３の前後方向に沿って複数形成されている。尚、後述するように、本実施例では、連結板１５が右側の側脚板２の螺着孔８のみに取り付けられる。更に、幕板４の正面側の上端部には、側脚板２，３と同一のＬ字ブラケット７が螺着されている。
【００１５】
主天板６は、図３及び図４に示すように、左右幅が側脚板２及び側脚板３の離間されている左右幅と略同一且つ、前後幅を側脚板２，３の前後幅と略同一に形成された略矩形状の板体として形成されている。主天板６の下面には、各Ｌ字ブラケット７，７，７に対応してネジ１７が螺着可能な螺着孔９が複数形成されている。尚、３つのＬ字ブラケット７，７，７に形成された挿通孔７ａに挿通されたネジ１７が、主天板６の下面に形成された螺着孔９に螺着されるようになっている。
【００１６】
尚、側脚板２に螺着されたＬ字ブラケット７は、キャビネット部５の上方に螺着されているが、キャビネット部５の上方には、開口５ｂが形成されているので、キャビネット部５内の引出し５ａを取り外すことで主天板６を螺着することが可能となる。
【００１７】
図４に示すように、主天板６の下面には、主天板６の周縁辺部の全周に亘ってアルミ材等により製造される４本の長尺フレーム部材１０と、４個の中間部材１１と、が取り付けられている。長尺フレーム部材１０と中間部材１１とは、互いに連結されて枠状に組まれている。これら長尺フレーム部材１０及び中間部材１１は、その上下厚み寸法が、所定の厚みＤ（図２参照）になるように形成されている。
【００１８】
また、図４及び図５に示すように、長尺フレーム部材１０，１０同士を中間部材１１で直角を成して接続させることで、長尺フレーム部材１０及び中間部材１１で枠状（矩形状）とし、主天板６の下面に螺着する。尚、長尺フレーム部材１０と中間部材１１とにより本実施例におけるフレーム部材を構成している。
【００１９】
図６（ａ）及び図６（ｂ）に示すように、長尺フレーム部材１０は、略直方体形状の棒状部材であり、この長尺フレーム部材１０には、その上面側に長手方向に沿って肉抜溝１０ａが形成されており、長尺フレーム部材１０は、上方に向かって開口する断面視で略コ字形状に形成されている。
【００２０】
尚、肉抜溝１０ａにおける幅方向の中央部には、長尺フレーム部材１０の長手方向に沿って延びる凸条１０ｂが形成されている。この凸条１０ｂによって、肉抜溝１０ａは幅手方向に仕切られる。尚、この凸条１０ｂの上面は、上面が長尺フレーム部材１０の上面と面一となっている。
【００２１】
また、この凸条１０ｂには、長尺フレーム部材１０が主天板６の下面に取り付けられる際にネジ１７を挿通させる複数の挿通孔１０ｃが等間隔に貫通形成されている。更に、長尺フレーム部材１０の下面の中央部には、長尺フレーム部材１０が主天板６の下面に取り付けられた際に、長尺フレーム部材１０の撓みを防止する細溝１０ｄが、長尺フレーム部材１０の長手方向に沿って形成されている。
【００２２】
図７（ａ）及び図７（ｂ）に示すように、中間部材１１は、長尺フレーム部材１０と同尺の上下幅を有する平面視で略矩形状の部材である。この中間部材１１の内方には、上方に向かって開口する肉抜部１１ａが形成されている。特に、長尺フレーム部材１０が接続される直交する２方向には、中間部材１１の側面から開口部１１ｂ，１１ｂが形成されており、肉抜部１１ａは、これら開口部１１ｂ，１１ｂを通じて側方外部と連通している。
【００２３】
また、中間部材１１の開口部１１ｂ，１１ｂには、長尺フレーム部材１０の肉抜溝１０ａに嵌合する突部１１ｃ，１１ｃが形成されている。これら嵌合突部１１ｃ，１１ｃの両外側面は、肉抜溝１０ａによって形成された長尺フレーム部材１０の端部の内側面に摺接することにより、長尺フレーム部材１０を中間部材１１に対して下方から嵌合可能となっている（図５参照）。
【００２４】
更に、中間部材１１の肉抜部１１ａ内には、上方に向けて突部１１ｄが形成されており、この突部１１ｄの中心には、中間部材１１が主天板６の下面に取り付けられる際にネジ１８を挿通させる挿通孔１１ｅが形成されている。
【００２５】
図５に示すように、長尺フレーム部材１０と中間部材１１とを主天板６の下面に取り付ける際には、先ず、中間部材１１を主天板６の下面の所定位置に取り付ける。具体的には、主天板６の下面における四隅の角部近傍に、それぞれの中間部材１１の上面を当接させる。そして、主天板６の下面に形成された螺着孔（図示略）に、中間部材１１の挿通孔１１ｅを介してネジ１８を螺着する。このとき、主天板６の下面における四隅角部の中間部材１１を、嵌合突部１１ｃ，１１ｃが隣り合う中間部材１１の嵌合突部１１ｃ，１１ｃと対向するように配置する。
【００２６】
次に、図４及び図５に示すように、長尺フレーム部材１０は、主天板６の下面における中間部材１１，１１の間に下方から取り付けられる。このとき、長尺フレーム部材１０の両端部の内側面（肉抜溝１０ａ）には、中間部材１１，１１に形成された嵌合突部１１ｃ，１１ｃが摺接する。
【００２７】
そのため、長尺フレーム部材１０を位置決めすることが容易にできる。そして、中間部材１１と同様に、主天板６の下面に形成された螺着孔６ａに、長尺フレーム部材１０の挿通孔１１ｅを介してネジ１７を挿入して螺着する。尚、本実施例では、この主天板６と、長尺フレーム部材１０及び中間部材１１によって第１天板が構成されている。
【００２８】
以上の手順により、長尺フレーム部材１０及び中間部材１１が主天板６の下面に取り付けられる。そして、図３に示すように、主天板６を側脚板２，３及び幕板４の上端に載置して、側脚板２，３及び幕板４に取り付けられたＬ字ブラケット７，７，７を介してネジ１７を主天板６の螺着孔９に螺着する。
【００２９】
このとき、側脚板２，３及び幕板４の上端部には、主天板６に取り付けられた長尺フレーム部材１０及び中間部材１１が載置されるようになっており、主天板６の左右側縁辺部及び後側縁辺部のほぼ全域が側脚板２，３及び幕板４の上端部によって支持される。
【００３０】
また、図２に示すように、主天板６と、側脚板２，３及び幕板４は長尺フレーム部材１０及び中間部材１１を挟み込んでいる。長尺フレーム部材１０及び中間部材１１が有する厚みＤによって、主天板６は、側脚板２，３から所定寸法Ｄ離間されて配置される。
【００３１】
そのため、机１の外面視で長尺フレーム部材１０及び中間部材１１の側面が視認可能となっている。また、側脚板２，３に載置された長尺フレーム部材１０及び中間部材１１により、側脚板２，３の上面に形成された螺着孔８が隠蔽される。
【００３２】
図１０に示すように、本実施例における机１には、その側部に本実施例におけるオプション部材としてのサイドテーブル１２が連設されるようになっている。このサイドテーブル１２は、本実施例における第２脚体としての円柱脚１３を有しており、この円柱脚１３が床面より立設されている。この円柱脚１３は、下方から本実施例における第２天板としての補助天板１４を支持している。更に、補助天板１４の上面は、机１の主天板６と上面と面一をなすように連設される。
【００３３】
図９に示すように、補助天板１４は、主天板６の側端面と当接する端面部１４ａと、平面視でラウンド形状をなす曲面部１４ｂと、から構成され、平面視で略半円形状の板部材に形成されている。特に、端面部１４ａの前後幅は、主天板６の側端面と同一寸法に形成されている。また、補助天板１４の下面の端面部１４ａ近傍には、後述するように、連結板１５を介して、ネジ１７によって螺着される螺着孔１６が前後方向に複数形成されている。
【００３４】
図８及び図９に示すように、本実施例における連結部としての連結板１５は、側脚板２の上面と、補助天板１４の下面を連結するアルミ材等により製造される板状部材に形成されている。この連結板１５は、その前後幅が側脚板２の前後幅よりも若干小さくなるように形成されている。
【００３５】
また、側脚板２の上面に形成された複数の螺着孔１７及び補助天板１４の下面に形成された複数の螺着孔８にネジ１６を螺着可能な前後幅寸法に形成されている。更に、連結板１５の左右には、側脚板２の上面に形成された複数の螺着孔８と、補助天板１４の下面に形成された複数の螺着孔１６と、にネジ１７を挿通させるための挿通孔１５ａが上下方向に貫通して連設されている。
【００３６】
次に、サイドテーブル１２の机１に対する取付方法について説明する。先ず、図８に示すように、連結板１５の左半分を側脚板２の上面に配置する。そして、連結板１５の左方に複数形成された挿通孔１５ａにネジ１７を挿通させて螺着孔８に螺着させることで、連結板１５を側脚板２に対して連結する。このとき、連結板１５の右半分は、机１から突出している。
【００３７】
また、図４及び図５に示すように、主天板６の下面に枠状取り付けられた長尺フレーム部材１０及び中間部材１１のうち、側脚板２の上方に配置される１本の長尺フレーム部材１０を取り外す。１本の長尺フレーム部材１０を取り外すことによって、主天板６の下面と側脚板２の上面の間における長尺フレーム部材１０の配置位置には、連結板１５を配置できる所定の上下寸法Ｄ（図２参照）を有する配置空間１９が形成される。
【００３８】
図８及び図９に示すように、側脚板２の上方に配置される長尺フレーム部材１０を取り外した主天板６を、側脚板２，３及び幕板４の上面に載置すると、配置空間１９内に側脚板２の上面に取り付けられた連結板１５が配置される。そして、３つのＬ字ブラケット７，７，７を介してネジ１７を螺着孔９に螺着する（図３参照）。こうすることで、連結板１５の左半分は主天板６と側脚板２とにより挟み込まれ、しっかりと固定される。
【００３９】
最後に、図９に示すように、右方に向けて机から突出している連結板１５の右半分に、サイドテーブル１２の補助天板１４の下面を載置する。このとき、補助天板１４は、端面部１４ａを主天板６の右側端面に当接させる。
【００４０】
そして、下方からネジ１７を連結板１５の挿通孔１５ａに挿通させた後、補助天板１４下面に形成された螺着孔１６に螺着することで、補助天板１４は、配置空間１９に配置された連結板１５を介して主天板６に連設される。つまり、サイドテーブル１２を机１に対して取り付ける取付作業が完了する。
【００４１】
以上説明したように、本発明が適用された実施例としての机１にあっては、主天板６の周縁辺部の下部における少なくとも一部（１本の長尺フレーム部材１０）を取り外すことで連結板１５が配置される配置空間１９を形成し、この配置空間１９に配置された連結板１５を介して補助天板１４を主天板６に連設して使用できるようになり、かつ補助天板１４を連設しないで机１を使用する場合には、主天板６の周縁辺部に配置空間１９が形成されないため、机１の側方に配置空間１９が露呈せずに見栄えよく机１を使用できる。また、主天板６の周縁辺部の下部に配置空間１９が形成されるため、主天板６の上面には、配置空間１９を形成するための加工を施す必要がなくなり、平坦で見栄えのよい天板６の上面を形成でき、かつ側脚板２にも、配置空間１９を形成するための加工を施す必要がなくなり、見栄えのよい側脚板２を形成できる。
【００４２】
また、連結板１５を側脚板２に連結することで、補助天板１４の荷重が直に主天板６に加わらないようにできるばかりか、板状部材をなす連結板１５が主天板６と側脚板２との間に挟まれるため、連結板１５の支持強度が増し、長年の使用しても連結板１５が外れたり主天板６の周縁部近傍にひび割れが生じたりすることを防止できる。
【００４３】
また、複数の長尺フレーム部材１０及び中間部材１１により主天板６と側脚板２とが離間されているため、少なくとも１つの長尺フレーム部材１０を取り外すことで、連結板１５が配置される配置空間１９を主天板６に容易に形成することができ、かつ枠状に配置された複数の長尺フレーム部材１０及び中間部材１１によって主天板６を補強することができる。
【００４４】
また、長尺フレーム部材１０を主天板６に取り付ける際には、中間部材１１によって長尺フレーム部材１０の位置決めを行うことができるばかりか、長尺フレーム部材１０を主天板６から取り外す際には、中間部材１１を主天板６固着したまま取り外すことができ、配置空間１９の形成作業を容易に行うことができる。
【００４５】
更に、本発明が適用された実施例としての机１にあっては、主天板６の下面に枠状に取り付けられた長尺フレーム部材１０及び中間部材１１により、主天板６を薄く軽量に形成しつつ、主天板６を撓み難くすることができ、かつ主天板６上に荷重を加えたときに、主天板６や側脚板２，３が若干撓んだとしても、長尺フレーム部材１０及び中間部材１１によって主天板６と側脚板２，３とが離間されているため、主天板６と側脚板２，３とが直接擦れ合わずに済むようになり、軋み音が発生し難くなる。
【００４６】
尚、主天板６及び側脚板２，３を木材で形成するとともにフレーム部材１０，１１を金属で形成した場合には、金属製のフレーム部材１０，１１によって木製の主天板６がさらに撓み難くなり、かつ主天板６と側脚板２，３が若干撓んだとしても、摩擦抵抗の大きな木材同士が擦れ合わずに、摩擦抵抗の小さな金属が木材に擦れるため、軋み音を効率的に防止することができる。
【００４７】
また、長尺フレーム部材１０及び中間部材１１の配置位置以外の位置で主天板６を側脚板２，３に連結することで、長尺フレーム部材１０及び中間部材１１が邪魔にならずに主天板６と側脚板２，３の連結作業を容易に行うことができる。また、主天板６上に荷重を加えたときに、主天板６や側脚板２，３が若干撓んで主天板６が側脚板２，３に対して相対的に移動されても、長尺フレーム部材１０及び中間部材１１は主天板６とともに移動されるので、主天板６と長尺フレーム部材１０及び中間部材１１とが擦れ合わなくなり、軋み音が発生し難くなる。尚、本実施例では、Ｌ字ブラケット７を介して側脚板２，３と、主天板６と、を連結するようにしているが、長尺フレーム部材１０及び中間部材１１の配置位置以外の位置で主天板６を側脚板２，３に連結できるのであれば、Ｌ字ブラケット７を必ずしも用いなくてもよい。
【００４８】
また、複数の長尺フレーム部材１０及び中間部材１１により主天板６と側脚板２，３とが離間されているため、少なくとも１つの長尺フレーム部材１０を取り外すことで、サイドテーブル１２を連結するための連結板１５が配置される配置空間を容易に形成することができ、かつサイドテーブル１２を連結しないで机１を使用する場合には、配置空間に長尺フレーム部材１０及び中間部材１１があるため、主天板６の周縁辺部に配置空間が形成されずに済むようになり、机１の側方に配置空間が露呈せずに見栄えよく机１を使用できる。
【００４９】
また、長尺フレーム部材１０は、その長手方向に沿って肉抜溝１０ａが形成された断面視で略コ字形状をなし、肉抜溝１０ａの中央部には、凸条１０ｂが形成されているので、肉抜溝１０ａを形成することで長尺フレーム部材１０を軽量化しつつ、凸条１０ｂを形成することで長尺フレーム部材１０の強度を向上させることができる。
【００５０】
以上、本発明の実施例を図面により説明してきたが、具体的な構成はこれら実施例に限られるものではなく、本発明の要旨を逸脱しない範囲における変更や追加があっても本発明に含まれる。
【００５１】
例えば、前記実施例では、主天板６と補助天板１４を連設させる家具として机１を例に説明したが、本発明は机１に限定されず、テーブルやキャビネットや支持台等の天板を備える家具であればいかなる家具であっても適用することができる。
【００５２】
また、前記実施例では、主天板６の下面に取り付けられた長尺フレーム部材１０のうち、右方側の側脚板２の上方に配置されていた長尺フレーム部材１０を取り外すことで形成された配置空間１９に連結板１５を配置したが、左方側の側脚板３や幕板４の上端部に配置されている長尺フレーム部材１０を取り外して、机１にサイドテーブル１２を連設するようにしてもよい。
【００５３】
また、前記実施例では、主天板６の下面に４本の長尺フレーム部材１０と４個の中間部材１１を枠状に取り付けることで、前記実施例におけるフレーム部材を構成していたが、中間部材を主天板の下面に一体に形成することで、長尺フレーム部材１０のみを着脱可能としてもよい。
【００５４】
また、前記実施例では、主天板６の下面に取り付けられた長尺フレーム部材１０を取り外すことで、連結板１５が配置される配置空間１９を形成したが、主天板６の縁辺部の下部における少なくとも一部を取り外すことによって、連結板１５が配置される配置空間１９を形成するようにしてもよい。
【図面の簡単な説明】
【００５５】
【図１】本発明が適用された机の全体像を示す斜視図である。
【図２】机のフレーム部材を示す一部拡大斜視図である。
【図３】机の組み立て状態を示す組立斜視図である。
【図４】主天板の構成を示す斜視図である。
【図５】主天板に対するフレーム部材の取り付けを示す一部拡大斜視図である。
【図６】（ａ）は、長尺フレーム部材を示す平面図であり、（ｂ）は、長尺フレーム部材を示す側面図である。
【図７】（ａ）は、中間部材を示す平面図であり、（ｂ）は、中間部材を示す側面図である。
【図８】側脚板に対する取付板の取り付け状態を示す斜視図である。
【図９】取付板に対する補助天板の取り付け状態を示す斜視図である。
【図１０】机にサイドテーブルが連設された状態を示す斜視図である。
【符号の説明】
【００５６】
１                机（家具）
２，３            側脚板（第１脚体，脚体）
４                幕板
６                主天板（第１天板）
７                Ｌ字ブラケット（取付部材）
８，９            螺着孔
１０              長尺フレーム部材（第１天板，フレーム部材）
１０ａ            肉抜溝
１０ｂ            凸条
１０ｃ            挿通孔
１０ｄ            細溝
１１              中間部材（第１天板，フレーム部材）
１１ａ            肉抜部
１１ｂ            開口部
１２              サイドテーブル（オプション部材）
１３              円柱脚（第２脚体）
１４              補助天板（第２天板）
１５              連結板（連続部）
１５ａ            挿通孔
１６              螺着孔
１９              配置空間
【図１】
0005355885.tif 000002
【図２】
0005355885.tif 000003
【図３】
0005355885.tif 000004
【図４】
0005355885.tif 000005
【図５】
0005355885.tif 000006
【図６】
0005355885.tif 000007
【図７】
0005355885.tif 000008
【図８】
0005355885.tif 000009
【図９】
0005355885.tif 000010
【図１０】
0005355885.tif 000011